【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
印刷命令から中間フォーマット情報への変換をページ毎に処理する処理手段と、
前記処理手段で処理が開始されてからの時間を計測する計測手段と、
前記計測手段で計測された時間が設定された時間を超えたか否かを判断する判断手段と、
前記判断手段で超えたと判断された場合、超えたと判断されたときまでに前記処理手段で処理されたページの情報をまとめて一の中間フォーマット情報を作成し、かつ、前記一の中間フォーマット情報に変換されていないページの前記変換を継続し、前記判断手段で超えたと判断されることなく前記処理手段で全てのページについての処理が終了した場合、前記全てのページの情報をまとめて前記中間フォーマット情報を作成する作成手段と、
を有することを特徴とする情報処理装置。
【請求項２】
前記判断手段は、前記計測手段で計測された時間が設定された時間を超えたか否かと、前記印刷命令において処理されていないページ数が設定されたページ数を超えているか否かと、を判断し、
前記作成手段は、前記計測された時間が前記設定された時間を超えており、且つ前記処理されていないページ数が前記設定されたページ数を超えたと前記判断手段で判断された場合に、前記判断手段で前記超えたと判断されたときまでに前記処理手段で処理されたページの情報をまとめて前記一の中間フォーマット情報を作成し、かつ、前記一の中間フォーマット情報に変換されていないページの前記変換を継続することを特徴とする請求項１記載の情報処理装置。
【請求項３】
印刷命令から中間フォーマット情報への変換をページ毎に処理する処理手段と、
前記処理手段で処理されたページ数が設定されたページ数を超えたか否かを判断する判断手段と、
前記判断手段で前記設定されたページ数を超えたと判断された場合、前記設定されたページ数を超えたと判断されたときまでに前記処理手段で処理されたページの情報をまとめて一の中間フォーマット情報を作成する作成手段と、
を有することを特徴とする情報処理装置。
【請求項４】
前記設定されたページ数は、サムネールとして表示部に最初に表示するのに必要となるページのページ数であることを特徴とする請求項３記載の情報処理装置。
【請求項５】
前記設定されたページ数は、前記印刷命令における最初の文書構成の区切りを表示部に表示するのに必要となるページのページ数であることを特徴とする請求項３記載の情報処理装置。
【請求項６】
前記判断手段は、前記設定されたページ数が前記印刷命令における全てのページ数の一定の割合以上であるか否か、及び前記全てのページ数が許容されたページ数以下であるか否かを更に判断し、
前記作成手段は、前記判断手段で更に、前記一定の割合以上であると判断された、或いは前記許容されたページ数以下であると判断された場合、前記一の中間フォーマット情報を作成しないことを特徴とする請求項３記載の情報処理装置。
【請求項７】
前記判断手段は、前記設定されたページ数が分割単位のページ数を超えたか否かを更に判断し、
前記作成手段は、前記分割単位のページ数を超えていないと前記判断手段で更に判断された場合、前記一の中間フォーマット情報を作成し、前記分割単位のページ数を超えたと前記判断手段で更に判断された場合、前記分割単位のページ数を超えたと前記判断手段で判断されるごとに、前記処理手段で処理されたページのうちまとめていないページの情報をまとめて中間フォーマット情報を作成することを特徴とする請求項３記載の情報処理装置。
【請求項８】
前記作成手段は、前記一の中間フォーマット情報を作成した後に、前記処理手段で残りのページについて処理が行われた場合、前記残りのページの情報をまとめて残りの中間フォーマット情報を作成し、前記一の中間フォーマット情報と前記残りの中間フォーマット情報とを結合して前記中間フォーマット情報を作成することを特徴とする請求項１又は３記載の情報処理装置。
【請求項９】
前記作成手段は、前記一の中間フォーマット情報を作成した後に、前記処理手段で残りのページについて処理が行われた場合、前記処理手段で処理された１ページ目からページの情報をまとめて前記中間フォーマット情報を作成することを特徴とする請求項１又は３記載の情報処理装置。
【請求項１０】
前記中間フォーマット情報は、ＰＤＦ又はＳＶＧフォーマットのファイルであることを特徴とする請求項１乃至９何れか１項記載の情報処理装置。
【請求項１１】
コンピュータを、請求項１乃至１０何れか１項記載の情報処理装置の各手段として機能させるためのプログラム。
【請求項１２】
情報処理装置が実行するデータ処理方法であって、
印刷命令から中間フォーマット情報への変換をページ毎に処理する処理工程と、
前記処理工程で処理が開始されてからの時間を計測する計測工程と、
前記計測工程で計測された時間が設定された時間を超えたか否かを判断する判断工程と、
前記判断工程で超えたと判断された場合、超えたと判断されたときまでに前記処理工程で処理されたページの情報をまとめて一の中間フォーマット情報を作成し、かつ、前記一の中間フォーマット情報に変換されていないページの前記変換を継続し、前記判断工程で超えたと判断されることなく前記処理工程で全てのページについての処理が終了した場合、前記全てのページの情報をまとめて前記中間フォーマット情報を作成する作成工程と、
を含むことを特徴とするデータ処理方法。
【請求項１３】
情報処理装置が実行するデータ処理方法であって、
印刷命令から中間フォーマット情報への変換をページ毎に処理する処理工程と、
前記処理工程で処理されたページ数が設定されたページ数を超えたか否かを判断する判断工程と、
前記判断工程で前記設定されたページ数を超えたと判断された場合、前記設定されたページ数を超えたと判断されたときまでに前記処理工程で処理されたページの情報をまとめて一の中間フォーマット情報を作成する作成工程と、
を含むことを特徴とするデータ処理方法。
【手続補正２】
【補正対象書類名】明細書
【補正対象項目名】０００７
【補正方法】変更
【補正の内容】
【０００７】
そこで、本発明に係る情報処理装置は、印刷命令から中間フォーマット情報への変換をページ毎に処理する処理手段と、前記処理手段で処理が開始されてからの時間を計測する計測手段と、前記計測手段で計測された時間が設定された時間を超えたか否かを判断する判断手段と、前記判断手段で超えたと判断された場合、超えたと判断されたときまでに前記処理手段で処理されたページの情報をまとめて一の中間フォーマット情報を作成し、かつ、前記一の中間フォーマット情報に変換されていないページの前記変換を継続し、前記判断手段で超えたと判断されることなく前記処理手段で全てのページについての処理が終了した場合、前記全てのページの情報をまとめて前記中間フォーマット情報を作成する作成手段と、を有することを特徴とする。
また、本発明に係る情報処理装置は、印刷命令から中間フォーマット情報への変換をページ毎に処理する処理手段と、前記処理手段で処理されたページ数が設定されたページ数を超えたか否かを判断する判断手段と、前記判断手段で前記設定されたページ数を超えたと判断された場合、前記設定されたページ数を超えたと判断されたときまでに前記処理手段で処理されたページの情報をまとめて前記一の中間フォーマット情報を作成する作成手段と、を有することを特徴とする。